(57)【要約】【課題】使い易い枕装置を得ることにある。【解決手段】膨縮可能な袋４４を有する枕本体４０と、袋４４に空気を給排する給排装置５１とを具備している。給排装置５１により袋４４内に空気を給排させて、枕本体４０の高さを調整する。これにより、枕本体４０の高さ調整が容易になる。【選択図】　　図１
2004057505.tif 000002
【特許請求の範囲】
【請求項１】
膨縮可能な袋を有する枕本体と、前記袋に流体を給排するとともに前記袋への供給状態を維持できる給排装置と、を具備しており、前記給排装置により前記袋内に供給する流体の量を変化させ、前記袋の膨張度合を変えて前記枕本体の高さを調整する枕装置。
【請求項２】
前記袋内に供給する流体の流量情報を記憶する記憶部と、この記憶部に記憶させた流量情報によって前記給排装置を制御する制御部と、を具備しており、前記記憶部に記憶された量の流体を前記袋に給排させて前記枕本体の高さを調整する請求項１に記載の枕装置。
【請求項３】
請求項２に記載の枕装置と、
この枕装置の枕本体とともに用いられる敷きふとん本体と、
この敷きふとん本体に設けられて、前記敷きふとん本体上の使用者の寝姿を感知するセンサと、を具備しており、
前記枕装置の記憶部は、前記袋内に供給する流体の流量情報を前記使用者の寝姿に対応させて記憶可能であり、前記枕装置の制御部は、前記センサが感知した前記使用者の寝姿情報に対応する前記記憶部の流量情報に基づいて、前記給排装置を制御して前記枕本体の高さ調整を調整する寝具装置。
【発明の詳細な説明】
【０００１】
【発明の属する技術分野】
本発明は、枕装置及びこの枕装置を備えた寝具装置に関する。
【０００２】
【従来の技術】
睡眠時に頭の高さが不適切であると、眠りが浅くなる、首が痛くなる、或いは、頭に血がのぼる等の障害を引き起こすおそれがある。そのため、近年、頭の適切な高さに保持することができる枕への要求が高まっている。
【０００３】
ところが、睡眠時の適切な頭の高さには個人差があり、同一形状の枕では頭の高さを個個人に適する高さに保つことが難しい。これを改善するために、従来、特定使用者に合わせて個別に枕を設計する等の対応がなされている。
【０００４】
また、睡眠時の適切な頭の高さは、睡眠中の体勢、すなわち、寝姿によっても異なる。上述のように、特定使用者に合わせて枕を個別に設計する場合、一般には、あお向けの寝姿で設計するため、あお向けの寝姿に合わせて設計された枕を使用して例えばうつ伏せ等の寝姿で睡眠をとった場合には、やはり頭の高さを適切に保持できない。
【０００５】
そのため、従来、枕の内部に膨縮可能な空気袋を内蔵し、空気袋を膨縮させることで所望の高さに調整する枕が提案されている。
【０００６】
【発明が解決しようとする課題】
しかし、従来の枕では、高さを調整するために、自ら空気を吹き込む等して高さを高くしたり、外部から圧迫することで空気を抜いて高さを低くしたりする必要があり面倒である。また、高さ調整を行なうためには、横になっていた状態から体を起こす必要があり、使い勝手がよくない。
【０００７】
本発明が解決しようとする課題は、使い易い枕装置及びこの枕装置を備えた寝具装置を得ることにある。
【０００８】
【課題を解決するための手段】
前記課題を解決するために、請求項１に係る発明の枕装置は、給排装置により、枕本体に設けられた膨縮可能な袋内に供給する流体の量を変化させ、袋の膨張度合を変えて枕本体の高さを調整する。
【０００９】
この発明の枕装置によれば、給排装置が袋内に流体を給排するため、枕本体の高さ調整が容易である。
【００１０】
【発明の実施の形態】
以下、図１〜図３を参照して本発明の一実施形態を説明する。
【００１１】
本実施形態に係る寝具装置１は、例えば、マッサージ機能を兼ね備えたものであり、図１に示すように、敷きふとん本体２、寝姿検出用のセンサ３〜６、マッサージ用袋７〜９、枕本体４０及び後述の駆動装置５０を有する枕装置１０、及び、操作部１１等を備えている。
【００１２】
敷きふとん本体２は、図２に示すように、外カバー２０、中袋２１、及び、中芯部２２等を備えている。外カバー２０及び中袋２１は夫々、例えば木綿や化学繊維等により形成されている。中芯部２２は、例えば低反発ウレタン等の弾性を有する素材で形成されている。外カバー２０及び中袋２１には、マッサージ用袋７〜９と駆動装置５０に設けられた給排装置５１とを夫々繋ぐ複数の送気管７ａ〜９ａを外部に延出させるとともに、センサ３〜６と駆動装置５０に設けられた寝姿判定部５８とを夫々電気的に繋ぐ複数の電線を束にしたコード７０を外部に延出させる貫通口が設けられている。
【００１３】
敷きふとん本体２は、中芯部２２を中袋２１の内部に収容するとともに、中芯部２２を収容した中袋２１を外カバー２０の内部に収容することにより形成されている。なお、外カバー２０は、その一端部に図示しないファスナー等を取付けることで、中袋２１を挿脱自在に収容できるようにしてもよい。また、外カバー２０は省略してもよい。
【００１４】
センサ３〜６は、敷きふとん本体２上の使用者の寝姿を感知するものであり、敷ふとん本体２に少なくとも１つ好ましくは複数設けられている。この寝具装置１では、図１に示すように、敷きふとん本体２上に横になる使用者の背中部、右肩部、左肩部、及び、尻部の位置に対応させて、敷きふとん本体２の内部、例えば中芯部２２の上面に４つ配置されている。
【００１５】
複数のセンサ３〜６のうち、背中部用センサ３、右肩部用センサ４、及び、左肩部用センサ５としては、人体の背中部、右肩部、及び、左肩部の各部位により上方から圧力が及ぼされているか否かを感知できるセンサが夫々用いることができる。すなわち、背中部用センサ３、右肩部用センサ４、及び、左肩部用センサ５により、敷きふとん本体２上に横になっている使用者の背中部、右肩部、及び、左肩部が夫々、背中部用センサ３、右肩部用センサ４、及び、左肩部用センサ５の上方にあるか否かが感知される。
【００１６】
人体により上方から圧力が及ぼされているか否かを感知できるセンサとしては、例えば、所定以上の圧力がかかることにより電気回路を閉じるスイッチ等を適用することができる。この寝具装置１では、背中部用センサ３、右肩部用センサ４、及び、左肩部用センサ５として、例えば、スイッチ部３０、スイッチ支持部３１、及び、端子部３２等を備えた薄型で常開のスイッチが用いられている。図２（Ｂ）に、背中部用センサ３を代表して示す。
【００１７】
スイッチ部３０は、絶縁性薄膜３０ａ及び導電性薄膜３０ｂとを積相させたものであり、絶縁性部材からなるスイッチ支持部３１に支持されている。スイッチ支持部３１には孔部３２ａが形成されており、この孔部３２ａを介してスイッチ部３０の導電性薄膜３０ｂ側と端子部３２の上側とが対向するように、スイッチ部３０と端子部３２とが配置されている。スイッチ部３０の導電性薄膜３０ｂ及び端子部３２としては、金属膜或いはカーボン膜等を用いることができる。スイッチ部３０の導電性薄膜３０ｂと端子部３２とは、電線を介して駆動装置５０に設けられた寝姿判定部５８と夫々電気的に接続されている。
【００１８】
これらセンサ３〜５は、上方から圧力が及ぼされると、図２（Ｂ）に二点鎖線で示すようにスイッチ部３０が凹み、導電性薄膜３０ｂが端子部３２に接触して閉回路となって、寝姿判定部５８に電気が流れるようになる。また、これらセンサから人体が離れると、スイッチ部３０は弾性により元に戻り、導電性薄膜３０ｂと端子部３２とが離れて、開回路となる。センサ３〜５として、このような薄型のスイッチを設けることにより、人体がセンサ３〜５に接触した際の違和感を少なくすることができる。
【００１９】
複数のセンサ３〜６のうち、尻部用センサ６は、例えば、ストレインゲージ或いは圧電素子等からなる圧力センサが設けられている。尻部用センサ６は、電線を介して駆動装置５０に設けられた寝姿判定部５８と電気的に接続されており、歪みにより生じる物性の変化量（ストレインゲージでは圧抵抗効果による抵抗値の変化量、圧電素子では圧電効果による電気分極の変化量）により圧力を感知する。
【００２０】
ところで、敷きふとん本体２上に使用者があお向けになった場合、尻部用センサ６には尻部が接触して上方から圧力が及ぼされる。一方、敷きふとん本体２に使用者がうつ伏せになった場合、尻部用センサ６には下腹部が接触して上方から圧力が及ぼされる。一般に、尻部は下腹部よりも突出しているため、尻部が接触すると下腹部が接触する場合と比べて、尻部用センサ６に大きな圧力がかかる。したがって、尻部用センサ６として圧力センサを用いると、尻部が接触している場合と下腹部が接触している場合とを判定することができる。
【００２１】
膨縮可能なマッサージ用袋７〜９は、図１及び図２に示すように、敷ふとん本体の内部、例えば中芯部２２の上面に、複数のセンサ３〜６と重ならないように配置されている。この寝具装置１では、マッサージ用袋７〜９は、敷ふとん本体上に横になる使用者の各部位、例えば、腰部、腿部、及び、脚部の位置に対応させて、腰部用袋７、腿部用袋８、及び、脚部用袋９配置されている。これらマッサージ用袋７〜９は夫々、送気管７ａ〜９ａを介して給排装置５１と連通しており、この給排装置５１により空気が給排されて膨縮する。
【００２２】
枕装置１０は、枕本体４０、及び、駆動装置５０等を備えている。
【００２３】
枕本体４０は、図２に示すように、外カバー４１、中袋４２、中芯部４３、及び、膨縮可能な枕用袋４４等を備えている。
【００２４】
外カバー４１及び中袋４２は夫々、例えば木綿や化学繊維等により形成されている。中芯部４３は、例えば低反発ウレタン等の弾性を有する素材で形成されている。膨縮可能な枕用袋４４は、送気管４４ａを介して給排装置５１と連通しており、この給排装置５１により空気が給排されて膨縮する。外カバー４１及び中袋４２には、枕用袋４４と駆動装置５０に設けられた給排装置５１とを繋ぐ送気管４４ａを外部に延出させる貫通口が設けられている。
【００２５】
枕本体４０は、例えば、中芯部４３を使用者側である上側、枕用袋４４を下側にして積層して中袋４２の内部に収容するとともに、中芯部４３及び枕用袋４４を収容した中袋４２を外カバー４１の内部に収容することにより形成されている。なお、外カバー４１は、その一端部に図示しないファスナー等を取付けることで、中袋４２を挿脱自在に収容できるようにしてもよい。また、外カバー４１は省略してもよい。
【００２６】
駆動装置５０は、図３に示すように、給排装置５１、寝姿判定部５８、記憶部５９、及び、制御部６０等を備えている。
【００２７】
給排装置５１は、枕用袋４４及びマッサージ用袋７〜９に空気を給排するものであり、図３に示すように、エアーコンプレッサ５２、空気分配器５３、複数の圧力調整弁５４〜５７等を備えている。
【００２８】
圧縮空気を生成するエアーコンプレッサ５２には、例えば電磁駆動されるダイアフラム式のものが採用されている。このエアーコンプレッサ５２は、制御部６０と接続しており、制御部６０により運転制御される。エアーコンプレッサ５２の吐出し口は給気管を介して空気分配器５３と連通している。
【００２９】
空気分配器５３は、例えばロータリー式のものが採用されており、エアーコンプレッサ５２と連通する給気口と、各袋７〜９，４４に個別に対応する複数の分配口と、排気口とを有している。
【００３０】
この空気分配器５３は、モータ駆動により回転される分配弁の位置により、給気を必要としている袋７〜９，４４のうちのいずれか一つに対応する位置の分配口を給気口に選択的に連通させると同時に、他の分配口を排気口に連通させるようになっている。この空気分配器５３は、制御部６０と接続しており、この制御部６０により空気の給排動作が制御される。
【００３１】
空気分配器５３の各分配口には、夫々対応する袋７〜９，４４が夫々送気管７ａ〜９ａ，４４を介して個別に連通されている。空気分配器５３の各分配口と各袋７〜９，４４とを連通する送気管７ａ〜９ａ，４４ａには、空気分配器５３から吐出される空気の圧力を調整するための圧力調整弁５４〜５７が夫々設けられている。これら圧力調整弁５４〜５７は夫々制御部６０と接続しており、この開度は制御部６０により制御される。圧力調整弁５４〜５７の開閉及びその開度は、操作部１１に入力された情報、或いは、給気を必要としている袋７〜９，４４の大きさ等によって決定される。操作部１１については後述する。なお、圧力調整弁５４〜５７に代えて、電磁弁やコック等を設けて袋７〜９，４４内に供給する空気の量を調整してもよい。
【００３２】
寝姿判定部５８は、複数のセンサ３〜６及び制御部６０と電気的に接続している。この寝姿判定部５８は、センサ３〜６により感知された寝姿情報により、敷きふとん本体２上の使用者の寝姿を判定して制御部６０に伝達する。すなわち、背中部用センサ３、右肩部用センサ４、及び、左肩部用センサ５に夫々上方から圧力がかかっており、尻部用センサ６に尻部が接触した場合に相当する圧力がかかっている場合、寝姿判定部５８は、使用者があお向けであると判定する。また、背中部用センサ３、右肩部用センサ４、及び、左肩部用センサ５に夫々上方から圧力がかかっており、尻部用センサ６に下腹部が接触した場合に相当する圧力がかかっている場合、寝姿判定部５８は、使用者がうつ伏せであると判定する。さらに、右肩部用センサ４及び左肩部用センサ５に夫々上方から圧力がかかっていない場合、寝姿判定部５８は、使用者が横向きであると判定する。
【００３３】
記憶部５９は、枕用袋４４内に供給する所望の空気量情報を複数記憶することができる。記憶部５９に記憶させる空気量情報は、使用者個個人の好みにより決定すればよい。
【００３４】
また、この記憶部５９に使用者の寝姿に対応させて枕用袋４４内に供給する空気量情報を記憶させておくことで、後述するように、睡眠中の枕本体４０の高さを寝姿によって自動的に変えることができるようになる。その場合、あお向けの場合の空気量ｌ１（ｃｍ２）が
ｌ１＝ａ　（ａ＞０）　　…（１）
うつ伏せの場合の空気量ｌ２（ｃｍ２）が、
ｌ２＝（ａ―ｂ）　（ｂ＞０）　　…（２）
横向きの場合の空気量ｌ３（ｃｍ２）が、
ｌ３＝（ａ＋ｃ）　（ｃ＞０）　　…（３）
となるように記憶させるのが好ましい。すなわち、枕本体４０の高さは、うつ伏せ時の枕本体４０の高さをあお向け時の枕本体４０の高さよりも低く、且つ、横向き時の枕本体４０の高さをあお向け時の枕本体４０の高さよりも高く設定するのが好ましい。
【００３５】
マイクロコンピュータからなる制御部６０は、上述したように、エアーコンプレッサ５２、空気分配器５３、各圧力調整弁５４〜５７、寝姿判定部５８、及び、記憶部５９と夫々接続して設けられている。図１に示すように、後述する操作部１１が有線である場合は、この操作部１１とも接続している、制御部６０は、操作部１１に入力された情報、或いは、寝姿判定部５８から出力された寝姿情報に従ってエアーコンプレッサ５２、空気分配器５３、及び、各圧力調整弁５４〜５７を夫々制御する。
【００３６】
なお、この寝具装置１では、寝姿判定部５８及び記憶部５９を夫々、制御部６０とは別の構成としているが、寝姿判定部５８及び記憶部５９は夫々、制御部６０の一部であってもよい。
【００３７】
操作部１１は、制御部６０に各種動作を指示するものである。操作部１１は、図１では、有線で制御部６０と接続されているが、例えば赤外線等を用いて無線で制御部６０に動作を指示できるようにしてもよい。
【００３８】
この操作部１１は、例えば、駆動装置５０を駆動及び停止させる電源釦、枕用袋４４内に供給する空気量を記憶部５９に記憶させる記憶釦、複数のセンサ３〜６により感知された使用者の寝姿に対応させて枕用袋４４内に供給する自動運転を開始及び終了させる枕高さ自動調整釦、膨縮させるマッサージ用袋７〜９を選択するマッサージ位置選択釦等の種々の操作釦１１ａが設けられている。
【００３９】
上記構成の寝具装置１では、以下のようにして、枕本体４０の高さを自動的に調整する。まず、操作部１１の電源釦を押して駆動装置５０を駆動させる。記憶釦を押して、あお向け、うつ伏せ、及び、横向きの寝姿における所望の枕本体４０の高さを夫々記憶させる。駆動装置５０の駆動、及び、枕本体４０の高さを所望の高さに記憶させる作業等は、敷きふとん本体２上に横になった姿勢のままでも、操作部１１を操作することにより行うことができる。また、一度記憶させた情報は変更或いはリセットしない限り記憶部５９で記憶されたまま保持される。
【００４０】
枕高さ自動調整釦を押すと、枕高さの自動調整が開始される。例えば、背中部用センサ３、右肩部用センサ４、及び、左肩部用センサ５に夫々上方から圧力がかかっており、尻部用センサ６に尻部が接触した場合に相当する圧力がかかっている場合、寝姿判定部５８により使用者はあお向けであると判定される。センサ３〜６により感知されて寝姿判定部５８により判定された寝姿情報は制御部６０に伝達され、制御部６０により給排装置５１が制御され、使用者の寝姿、すなわち、あお向けに対応する量の空気を枕用袋４４に空気を排気する。これにより、枕本体４０の高さが自動的に調整される。
【００４１】
さらに、使用者が寝返りうち、例えば、背中部用センサ３、右肩部用センサ４、及び、左肩部用センサ５に夫々上方から圧力がかかっており、尻部用センサ６に下腹部が接触した場合に相当する圧力がかかっている状態に変化した場合、寝姿判定部５８により使用者はうつ伏せになったと判断される。センサ３〜６により感知されて寝姿判定部５８により判断された寝姿情報は制御部６０に伝達され、制御部６０により給排装置５１が制御され、枕用袋４４に空気を給排させる。これにより、枕本体４０の高さが、使用者の寝姿、すなわちうつ伏せに対応する高さに自動的に調整される。
【００４２】
枕本体４０の高さの自動調整を終了させたい場合は、操作部１１の電源釦を押して給排装置５１の駆動を停止させるか、或いは、枕高さ自動調整釦を押して枕本体４０の高さの自動調整を終了させる。なお、電源釦或いは枕高さ自動調整釦を押しても、記憶させた枕高さ情報は記憶部５９で記憶されたまま保持される。
【００４３】
また、上記構成の寝具装置１では、覚醒状態の時はマッサージ機として使用することができる。例えば、腰部をマッサージしたい場合はマッサージ位置選択釦を押して腰部を選択する。これにより、腰部用袋７が膨縮して腰部へのマッサージが開始される。つまり、給排装置５１から腰部用袋７への給気が行なわれて腰部用袋７が膨張すると、この膨張した腰部用袋７により腰部が圧迫される。その後、腰部用袋７中の空気が排出されされるのに伴い、圧迫された腰部が弛緩される。腿部或いは脚部をマッサージしたい場合も同様である。この寝具装置１では、この圧迫・弛緩により各部位をマッサージする。
【００４４】
マッサージを終了させたい場合は、操作部１１の電源釦を押して給排装置５１の駆動を停止する。なお、マッサージ終了に伴って選択していたマッサージ用袋７〜９の情報はリセットされて初期設定に戻される。
【００４５】
上述のように、この枕装置１０によれば、給排装置５１により枕本体４０に設けられた膨縮可能な枕用袋４４内に供給する空気の量を変化させ、枕用袋４４の膨張度合を変えて枕本体４０の高さを調整するものであるため、枕本体４０の高さ調整が容易である。
【００４６】
さらに、この枕装置１０によれば、記憶部５９に記憶させた空気量情報によって、制御部６０が給排装置５１を制御し、記憶部５９に記憶された量の空気を枕用袋４４に給排させて枕本体４０の高さを調整するため、枕本体４０の高さを一度所望の高さに調整しておけば、枕本体４４の高さをいつでも同じ高さに再現できる。
【００４７】
また、この寝具装置１は、敷きふとん本体２上の使用者の寝姿を感知するセンサ３〜６を備えているとともに、記憶部５９が枕用袋４４内に供給する空気量情報を使用者の寝姿に対応させて記憶可能であり、センサ３〜６により感知した使用者の寝姿情報に対応する記憶部５９の空気量情報に基づいて、制御部６０が給排装置５１を制御して枕本体４０の高さ調整を調整するものである。そのため、睡眠中であっても、使用者の寝姿に合わせて枕本体４０の高さを自動調整することができる。
【００４８】
さらに、この寝具装置１では、マッサージ用袋７〜９を、枕本体４０の高さを調整する枕用袋４４と共通の駆動源（駆動装置５０）により駆動させることができる。そのため、この寝具装置１では、マッサージ用袋７〜９を駆動させるために個別に駆動源を設ける必要がなく、簡単な構成でしかも低コストにマッサージ機能の付加を実現できる。
【００４９】
また、駆動装置５０の駆動、枕本体４０の高さを所望の高さに記憶させる作業、枕本体４０の高さの自動調整の開始と終了、及び、マッサージ動作の開始と終了等の各種設定は、操作部１１を操作することにより行うことができる。そのため、これら各種設定を、体を起こす必要が無く、敷きふとん本体２上に横になった姿勢のままで行うことができて、使い勝手がよい。
【００５０】
なお、この寝具装置１では、マッサージ用袋７〜９を、腰部、腿部、及び、脚部に対応させて３つ設けたが、マッサージ用袋７〜９の配置場所は、センサ３〜６と敷きふとん本体２の幅方向に重なる位置でなければどこでもよく、その数はいくつであってもよい。また、マッサージ用袋７〜９は省略してもよい。
【００５１】
また、この寝具装置１が備える枕装置４０は、記憶部５９に記憶させた空気量情報によって、制御部６０が給排装置５１を制御し、記憶部５９に記憶された量の空気を枕用袋４４に給排させて枕本体４０の高さを調整するようにしているが、枕用袋４４に給排する空気の量を操作部１１等によりその都給排装置５１に指示して枕本体４０の高さを調整するようにしてもよい。その場合、センサ３〜６、記憶部５９及び制御部６０は省略することができる。
【００５２】
さらに、この寝具装置１では、枕用袋４４及びマッサージ用袋７〜９の膨縮に空気を用いているが、枕用袋４４及びマッサージ用袋７〜９の膨縮には空気に限らず流体を広く用いることができる。液体を用いる場合は、給排装置５１としては、流体を運ぶポンプ、流体の供給を必要としている袋７〜９，４４のうちのいずれか一つに対応する位置の分配口を供給口に選択的に連通させると同時に、他の分配口を排出口に連通させる流体分配器、空気袋７〜９，４４に供給する液体の量を調整する弁或いはコック等の調整部、及び、流体を溜めておくリザーバータンク等により構成すればよい。
【００５３】
また、背中部用センサ３、右肩部用センサ４、及び、左肩部用センサ５は、上述した薄型のスイッチに限定されるものではなく、例えば、空気圧により電気回路が閉じるエアースイッチ等としてもよい。背中部用センサ３、右肩部用センサ４、及び、左肩部用センサ５は、スイッチでなくともよく、例えば、ストレインゲージ或いは圧電素子等からなる圧力センサでもよい。背中部用センサ３、右肩部用センサ４、及び、左肩部用センサ５は、温度を感知する温度センサ等を用いてもよい。
【００５４】
さらに、センサの配置場所、数、種類は、この実施形態に限定されるものではなく、センサは少なくとも１つが敷きふとん本体２に設けられていればよい。ただし、正確な寝姿を寝姿判定部５８で判定させるためには、センサの数は多いほうが好ましい。
【００５５】
【発明の効果】
本発明によれば、使い易い枕装置及びこの枕装置を備えた寝具装置が得られる。
【図面の簡単な説明】
【図１】本発明の一実施形態に係る寝具装置を示す斜視図。
【図２】（Ａ）は図１中Ｘ−Ｘ線に沿って示す断面図。（Ｂ）は図１の寝具装置が備える背中部用センサ付近を示す断面図。
【図３】図１の寝具装置の空気の給排の制御系統を示すブロック図。
【符号の説明】
１…寝具装置
２…敷きふとん本体
３…背中部用センサ
４…右肩部用センサ
５…左肩部用センサ
６…尻部用センサ
１０…枕装置
４０…枕本体
４４…袋
５１…給排装置
５９…記憶部
６０…制御部
【図１】
2004057505.tif 000003
【図２】
2004057505.tif 000004
【図３】
2004057505.tif 000005